(57)【要約】ネットワークアイコン（１０８）は電子機器のユーザと対話すると共に、ユーザ入力（１０２）、コンテキスト情報（１０４）およびネットワーク情報（１０６）を使用してユーザに対するアイコン表示を自動的に更新する。アイコン（１０８）は、アイコン（１０８）が関連付けられた電子機器との対話の強化をユーザに提供するために、ユーザプロファイル対話履歴情報（１１２）、ナビゲーションロジック（１１４）、マルチメディア表示（１１６）、ネットワークインタフェース（１１８）等にも関連付けられる。
2007516529.tif 000002
【特許請求の範囲】
【請求項１】
電子機器であって、
ディスプレイ；
ユーザ入力情報を受け取るための入力；
コンテキスト情報を受け取るための入力；および
ディスプレイに結合され、受け取られる入力情報およびコンテキスト情報に基づいて変化するディスプレイ上のアイコンを表示するためのアイコンジェネレータ；
を備えた電子機器。
【請求項２】
電子機器が作動しているネットワークから情報を受け取るための入力をさらに備え、前記アイコンジェネレータは、その受け取られたネットワーク情報に基づいてアイコンを変更する、請求項１に記載の電子機器。
【請求項３】
前記アイコンジェネレータはユーザ対話プロファイル格納領域に結合され、該ユーザ対話プロファイル格納領域は、アイコンの変更のためにアイコンジェネレータによって使用されるユーザ対話履歴を格納する、請求項１に記載の電子機器。
【請求項４】
前記アイコンジェネレータは１または複数のマルチメディア表示に結合され、該１または複数のマルチメディア表示は、アイコンの一部として表示されるようアイコンジェネレータによって選択される、請求項１に記載の電子機器。
【請求項５】
前記アイコンジェネレータはネットワークインタフェースに結合され、該ネットワークインタフェースは、アイコンによって示された情報を変更すべく使用されるネットワークからの情報を受け取る、請求項１に記載の電子機器。
【請求項６】
前記アイコンジェネレータに結合された言語依存資源をさらに備え、該言語依存資源はアイコンの一部としてテキストまたはオーディオの形で使用されている言語に変化をもたらす、請求項２に記載の電子機器。
【請求項７】
電子機器で使用されるアイコンを生成する方法であって、
電子機器の過去の使用方法をプロファイルする工程；および
前記過去の使用方法プロファイルに基づいてアイコンを表示する工程；
から成る方法。
【請求項８】
電子機器の現在のコンテキストを決定する工程と、その決定されるコンテキスト情報を使用して、アイコンがどのように表示されるかを更新する工程と、をさらに含む、請求項７に記載の方法。
【請求項９】
使用されている使用方法プロファイル情報を収集して、アイコンがどのように表示されるかを更新する工程をさらに含む、請求項８に記載の方法。
【請求項１０】
電子機器が作動しているネットワークから情報を受け取り、該ネットワーク情報を使用してアイコンがどのように表示されるかを更新する工程をさらに含む、請求項８に記載の方法。
【請求項１１】
コンテキスト情報に基づいてアイコンと関連付けられた複数のマルチメディア表示の中から選択する工程をさらに含む、請求項８に記載の方法。
【請求項１２】
コンテキスト情報に基づいてアイコンの表示と共に使用されることになっている言語依存資源の中から選択する工程をさらに含む、請求項８に記載の方法。
【発明の詳細な説明】
【技術分野】
【０００１】
本発明は、一般に電子機器ユーザインタフェースの分野に関し、より詳細には電子機器で使用される対話型アイコンに関する。
【背景技術】
【０００２】
グラフィカル・ユーザ・インタフェース（ＧＵＩ）について言えば、無線通信装置（例えばセル式電話）を始めとする電子機器は、マルチメディアが豊富になっている。新しい機能の促進により、電子機器のユーザに一層優れた対話型の経験を与えるために、新しいＧＵＩは音声と動画を含みつつ、無線通信装置を動作する。現在のＧＵＩは無線通信装置のディスプレイに表示されるアイコンを含んでいるが、それらは単にユーザが無線通信装置のメニューをナビゲートするのを助ける静止の図形ポインタとしての役割を果たしているにすぎない。現在使用されている静止アイコンに対する改良を提供可能なアイコンに対する需要が当該技術分野には存在する。
【発明を実施するための最良の形態】
【０００３】
新規であると思われる本発明の特徴は、添付の特許請求の範囲に詳細に述べられている。本発明は、添付の図面に関連して以下の説明を参照することにより、最も良く理解され得る。図面の幾つかの図において、同様な参照番号は同様な要素を示す。
【０００４】
本明細書は、新規であると思われる本発明の特徴を定義する特許請求の範囲で結ばれているが、図面と共に以下の説明を考慮することによって、本発明はさらに良く理解されると思われる。
【０００５】
Ｊａｖａ（登録商標）対応のモバイル送受話器は、ネットワークアプリケーションを含む多くの種類のＪａｖａアプリケーションを含むことができる。本発明は、オンラインマルチメディア能力を備えたネットワークＪａｖａアプリケーションとして実装可能なユーザ選択可能なアイコンを提供する。この新しいフレームワークは、受動的なデータのみのアイコンを、ユーザと対話でき、かつコンテキスト情報および時間情報の少なくとも一方に基づいて自己更新できるアクティブプログラムに変える。本発明はＪａｖａ言語を使用して説明しているが、他のプログラミング言語も、説明する対話型アイコンをサポートすることが可能である。
【０００６】
アイコンは、Ｊａｖａ（または他のプログラミング言語）に基づくプログラムとして表わされ、１または複数の以下の要素を含んでいる。
・関連するアプリケーションを起動するナビゲーションロジック。アイコンはユーザと対話して、アプリケーションを起動するための追加の入力を収集する。
・選択された時にレンダリングされる１または複数のマルチメディア表示。図形でレンダリングされるこの表示は、コンテキストを意識したものであってよい（例えば位置、時間等）。
・ユーザに更新情報、例えば新しいビデオクリップまたは視覚的なアイコンを提供する、１または複数の関連ＵＲＬ。
・ライセンス供与、デジタル権利、更新サイト等を含む、アプリケーションについてのメタデータ。
・アプリケーションの使用方法および更新に関するログ。このログは最も新しいユーザ入力や最も利用されたユーザ入力等のものを含む使用方法プロファイルを構築するために使用される。および／または
・言語依存資源（language dependent resources）。
【０００７】
ここで図１を参照すると、本発明の実施形態によるオンラインマルチメディア能力を備えたアイコン１０８のブロック図が示される。マルチメディアネットワークアイコンは、iconLet とも称される。iconLet １０８は、ユーザ入力１０２、コンテキスト情報１０４、およびネットワーク情報１０６と対話する。ユーザ入力１０２は、例えば無線電話のキーを操作するユーザであり、コンテキスト情報１０４は、例えばユーザによって現在アクセスされている情報、時間、日時であり、ネットワーク情報１０６は、例えば無線機が作動している通信網によって無線通信装置に送信される情報である。iconLet １０８は、１または複数のＪａｖａ（または他のプログラミング言語）アプリケーション１１０に関連付けられている。
【０００８】
iconLet １０８は、ユーザ対話プロファイル部分１１２と、ユーザ入力を収集する際のキー押しを最小限にすべく格納されたプロファイル情報を用いてユーザと対話するナビゲーションロジック１１４とを含んでいる。iconLet １０８は、かかる情報を使用して、Ｊａｖａアプリケーション１１０を起動する。ナビゲーションロジック１１４は、ローカルのまたはネットワークのトリガを与えられるとＪａｖａアプリケーション１１０を自動的に起動する能力も提供することができる（例えば、ユーザが無線電話のＧＵＩ上の特定のメニュー項目を選択すると、ユーザは特定のネットワークカバレージ・エリア等に入る）。
【０００９】
図２には、最も新しいユーザ入力、最も利用されたユーザ入力、およびコンテキスト−入力関連付け（例えばユーザは午後９：００以降に常に特定の情報を入力する）のようなアイテムを含むユーザ対話プロファイルのさらに細かい内訳である。ユーザ対話プロファイル１１２は、iconLet １０８に関連付けられた１または複数のソフトウェアルーチンを含み得ると共に、格納されたユーザ入力履歴情報も含み得る。
【００１０】
図１を戻って参照すると、iconLet １０８は選択された時に格納かつレンダリングされる１または複数のマルチメディア表示１１６も含んでいる。どの表示がレンダリングされるかはコンテキストを意識したものであってよい（例えば無線電話位置、時間等）。例証的な例として、「フリップフォン」のフリップハウジングが閉じられる場合、レンダリングされるのは音のみであり得る。マルチメディア表示１１６も、iconLet １０８にリンクされ、ユーザ入力１０２、コンテキスト情報１０４またはネットワーク対話１０６、もしくはそれらのアイテムの組み合わせによって作動されるソフトウェアルーチンである。
【００１１】
図１に示されたようなiconLet １０８は、図３にさらに詳述するように、リンクされたＵＲＬアドレス３０２からの情報のような情報を収集することが可能なネットワークインタフェース１１８をさらに含んでいる。図１を戻って参照すると、iconLet １０８はライセンス供与、デジタル権利情報、ライセンス供与更新サイト等を含むアプリケーションについてのメタデータ１２０にもリンクされ得る。
【００１２】
また、言語依存の資源１２２もiconLet １０８の一部として示される。言語依存資源１２２は、例えば、無線通信装置が異なる位置（例えば異なる国）に物理的に位置するときに作動される異なる言語の音声アイコンを含む。
【００１３】
図４を参照すると、本発明の対話型アイコン１０８を利用することが可能な無線通信装置４００のような電子機器のブロック図が示される。セル式電話４００は、従来の受信機４０４および送信機４０６の部分に選択的に結合されたアンテナ４１８を含んでいる。コントローラ４０２は、これはマイクロプロセッサやデジタル信号プロセッサのようなものであるが、電話４００に対する全体的制御を提供する。コントローラ４０２は、アイコン１０８によって要求されるプログラムを実行し、ユーザ入力１０２、コンテキスト情報１０４およびネットワーク情報１０６からの入力を受け取り、かつユーザ対話プロファイル１１２、ナビゲーションロジック１１４等と共にその入力情報を使用してiconLet １０８を生成することにより、アイコンジェネレータとして機能する。ランダムアクセスメモリ（ＲＡＭ）、読み出し専用メモリ（ＲＯＭ）、ＦＬＡＳＨ等のようなコントローラ４０２に結合されたメモリ４１４は、セル式電話４００によって必要とされるアルゴリズムおよび変数をすべて格納する。メモリ４１４は、ユーザ対話プロファイル１１２情報を格納すると共に、iconLet １０８の生成に関連する他の情報も格納する。
【００１４】
ディスプレイ４１６はセル式電話のユーザに視覚情報を与える。ディスプレイ４１６は、iconLet １０８を図形表示するために使用される。ボコーダおよびアナログディジタル（Ａ／Ｄ）ならびにデジタル／アナログ（Ｄ／Ａ）ブロックを含み得るオーディオ処理ブロック４０８は、入力される音声トラフィックと出力される音声トラフィックの両方に必要なすべてのオーディオ処理を与える。オーディオ処理ブロック４０８にはスピーカ４１２とマイクロホン４１０が結合されている。
【００１５】
コントローラ４０２には、全地球測位システム（ＧＰＳ）の受信機部分４２０および光センサ４２２のような１または複数のコンテキスト捕捉装置が結合され、iconLet １０８によって使用される必要なコンテキスト情報１０４の一部を提供する。時間のような他のコンテキスト情報は、通信システムによって無線機４００に与えられてもよいし、または無線機がコントローラ４０２によって制御されるハードウェアおよび／またはソフトウェアの少なくとも一方により提供されるクロックをさらに含んでもよい。コントローラ４０２は、iconLet の機能を行なうのに必要なすべての必要なルーチンを実行し、一方、メモリ４１４は、iconLet １０８に必要とされるすべてのソフトウェアルーチンを格納する。ユーザ制御４２４は、例えばキーパッドまたは無線通信に配置された他のスイッチであるが、iconLet １０８に使用されるユーザ入力１０２を提供する。他のユーザ入力１０２は、ユーザまたは無線機の環境（例えば、音声コマンドを与える無線機のユーザ、または周囲ノイズを測定する無線機）からオーディオまたは音声信号の形でマイクロホン４１０によって受け取ることができる。
【００１６】
図５を参照すると、iconLet ５０４を表示するためのディスプレイを有するセル式電話５００のような無線通信装置が示されている。図６では、その日の天気が晴れであることをユーザに通知する太陽を示す図形のiconLet ６０２が示されている。iconLet ６０２は、iconLet １０８がそのネットワークインタフェース１１８を使用して天候ＵＲＬから無線通信装置５００が無線通信しているという情報（例えば通信システムから要求されるＵＲＬアドレス由来の情報）を集めた後で、生成され得る。気象情報を集めた後、iconLet １０８はその情報を視覚的な形式で表示する。時間の変化やセル式電話５００の位置の変化のようなコンテキストの変化に基づいて、iconLet ６０２は、更新されたiconLet ６０４として、更新された天気の図形の視野を提供する。図形情報のこの変更は、ＧＰＳ  ４２０によって決定されるような新しい位置にセル式電話５００が移動し、かつＧＰＳ  ４２０がネットワークインタフェース１１８と対話して新しい位置における気象条件を見い出すことによって、促進され得る。
【００１７】
図７では、テキストに基づくiconLet ７０２が示される。マイクロホン４０２によって収集されたコンテキスト情報１０４を使用して、iconLet １０８は自動的に、光センサ４２２によって提供されるコンテキスト情報１０４によって決定されるような低い光条件下で（例えばセル式電話のユーザが暗室に入った）、音声またはオーディオのiconLet ７０４に切り替わる。
【００１８】
上記では数例の状況について説明したが、本発明のiconLet は様々な機能を果たすことが可能である。例えば、時間が経つと変化するiconLet は、金融ウェブサイトと対話するネットワークインタフェース１１８によって収集された最新の株式市場指数情報に従って変化するiconLet であってよく、株価情報を集め、かつそれをアイコンの一部として表示する。その日が所定の期間（例えば毎時間等）を過ぎるにつれ、その情報は自動的に変化し得る。
【００１９】
iconLet １０８は、従来の受動的なアイコンを、マルチメディア豊富なアクティブな（Ｊａｖａまたは他のプログラミング言語）プログラムと置き換え、ユーザとインテリジェントに対話することができる。iconLet １０８はさらに、パスの使用方法をプロファイリングし、繰り返されることの多いタスクを終えるのに必要なキー押しを最小限にすることにより、ユーザと将来の対話を改善するようにも「学習」する。
【００２０】
本発明の好適な実施態様を図示および説明してきたが、本発明がそれらに限定されないことは明らかであろう。添付の特許請求の範囲によって規定される本発明の精神および範囲を逸脱することなく、当業者には、多数の修正物、変更物、変形物、置換物、および均等物が想到されるであろう。
【図面の簡単な説明】
【００２１】
【図１】本発明の実施形態によるオンラインマルチメディア能力を備えたアイコンの図。
【図２】本発明の実施形態によるユーザ対話プロファイルを備えたアイコンの図。
【図３】本発明の実施形態によるネットワークインタフェースを備えたアイコンの図。
【図４】本発明の実施形態による無線通信装置のブロック図。
【図５】本発明の実施形態による無線通信装置の図。
【図６】本発明の実施形態に従って、アイコンが経つとどのように変化し得るかを示す。
【図７】本発明の実施形態に従って、アイコンがどのようにテキストから音声に変化し得るかを示す。
【図１】
2007516529.tif 000003
【図２】
2007516529.tif 000004
【図３】
2007516529.tif 000005
【図４】
2007516529.tif 000006
【図５】
2007516529.tif 000007
【図６】
2007516529.tif 000008
【図７】
2007516529.tif 000009
【国際調査報告】
2007516529.tif 000010